(57)【要約】      （修正有）【課題】簡易な構成で、人体や生態系に悪影響を及ぼさず、確実にゴキブリを捕獲できるゴキブリ捕獲用具を提供する。【解決手段】ゴキブリ捕獲器は、複数の線状体１０００を適宜間隔をおいて並設してなる第１の線状体部１００と複数の線状体１０１０を適宜間隔をおいて並設してなる第２の線状体部１０１とを、ゴキブリが通路として通過できる間隙を有して、対向して設けてなるゴキブリ捕獲用具１、及びゴキブリ捕獲用具１とその第１の線状体部１００と第２の線状体部１０１との間を経由して侵入してきたゴキブリを収納できる収納部とを備えてなる。【選択図】図１
0003155614.tif 000002
【実用新案登録請求の範囲】
【請求項１】
複数の線状体を適宜間隔をおいて並設してなる第１の線状体部と複数の線状体を適宜間隔をおいて並設してなる第２の線状体部とを、ゴキブリが通路として通過できる間隙を有して、対向して設けてなることを特徴とするゴキブリ捕獲用具。
【請求項２】
第１の線状体部と第２の線状体部を構成する各線状体が、金属又は合金よりなることを特徴とする、請求項１に記載のゴキブリ捕獲用具。
【請求項３】
複数の線状体を適宜間隔をおいて並設してなる第１の線状体部と複数の線状体を適宜間隔をおいて並設してなる第２の線状体部とを、ゴキブリが通路として通過できる間隙を有して、対向して設けてなるゴキブリ捕獲用具と、当該ゴキブリ捕獲用具の当該第１の線状体部と第２の線状体部との間を経由して侵入してきたゴキブリを収納できる収納部とを備えてなることを特徴とするゴキブリ捕獲器。
【請求項４】
収納部が、ゴキブリ捕獲用具を取付けることができる開口部を有してなり、当該開口部に当該ゴキブリ捕獲用具を取付けてなることを特徴とする、請求項３に記載のゴキブリ捕獲器。
【考案の詳細な説明】
【技術分野】
【０００１】
本考案は、ゴキブリ捕獲用具及びそれを用いたゴキブリ捕獲器に関するものである。
【背景技術】
【０００２】
ゴキブリは、一般に、黒光する不気味な体、よく動く長い触覚、細かいトゲの生えた六本の足を持ち、見た目の気味悪さだけならまだしも、夜中に家中をゴソゴソ動き回って食べ物を食い散らかし、病原菌や食中毒菌などを媒介する。
当該ゴキブリの駆除には、各種の方法・用具等が用いられ、例えば、ゴキブリ駆除剤をスプレ−で噴霧してゴキブリを死に至らしめる、ゴキブリ駆除剤（毒餌）を撒きゴキブリに喫食させ死に至らしめる、誘引剤でゴキブリを誘引して塗布した粘着剤（粘着テ−プ）にゴキブリを粘着させ捕獲する、電波やレザ−光を照射して捕獲する、ゴキブリを電気掃除機などの吸引機で吸い込み捕獲する、容器に油などの滑剤を塗布しゴキブリを落下させ捕獲する等の各種の方法・用具等が用いられる。
しかしながら、毒性のゴキブリ駆除剤をスプレ−で噴霧してゴキブリを死亡させ捕獲する方法やゴキブリの毒餌を撒き喫食させ死亡させ捕獲する方法は、人体にも又生態系にも悪影響を及ぼしたりする。
誘引剤でゴキブリを誘引して塗布した粘着剤（粘着テ−プ）にゴキブリを粘着させ捕獲する方法は、塗布する粘着剤や粘着テ−プや誘引剤等が必要で、これら剤や材料費が高価に付いてしまう。
電波やレザ−光を照射する方法は、人体等に悪影響を及ぼし、危険でもあり、その照射装置は大型のものが必要で、装置的に高価なものに付いたりする。
ゴキブリを電気掃除機などの吸引機で吸い込み捕獲する方法や容器に油などの滑剤を塗布しゴキブリを落下させ捕獲する方法は、確実性に欠けたりする。
【考案の開示】
【考案が解決しようとする課題】
【０００３】
本考案は、上記のような従来技術の有する欠点のない新規なゴキブリ捕獲用具及びそれを用いたゴキブリ捕獲器を提供することを目的としたものである。
本考案の他の目的および新規な特徴は以下の明細書及び図面の記載からも明らかになるであろう。
【課題を解決するための手段】
【０００４】
本考案の実用新案登録請求の範囲は、次の通りである。
（請求項１）  複数の線状体を適宜間隔をおいて並設してなる第１の線状体部と複数の線状体を適宜間隔をおいて並設してなる第２の線状体部とを、ゴキブリが通路として通過できる間隙を有して、対向して設けてなることを特徴とするゴキブリ捕獲用具。
（請求項２）  第１の線状体部と第２の線状体部を構成する各線状体が、金属又は合金よりなることを特徴とする、請求項１に記載のゴキブリ捕獲用具。
（請求項３）  複数の線状体を適宜間隔をおいて並設してなる第１の線状体部と複数の線状体を適宜間隔をおいて並設してなる第２の線状体部とを、ゴキブリが通路として通過できる間隙を有して、対向して設けてなるゴキブリ捕獲用具と、当該ゴキブリ捕獲用具の当該第１の線状体部と第２の線状体部との間を経由して侵入してきたゴキブリを収納できる収納部とを備えてなることを特徴とするゴキブリ捕獲器。
（請求項４）  収納部が、ゴキブリ捕獲用具を取付けることができる開口部を有してなり、当該開口部に当該ゴキブリ捕獲用具を取付けてなることを特徴とする、請求項３に記載のゴキブリ捕獲器。
【考案の効果】
【０００５】
本願において開示される発明のうち代表的なものによって得られる効果を簡単に説明すれば、下記のとおりである。
すなわち、本考案によれば、請求項１に示すように、複数の線状体を適宜間隔をおいて並設してなる第１の線状体部と複数の線状体を適宜間隔をおいて並設してなる第２の線状体部とをゴキブリが通路として通過できる間隙を有して対向して設けてゴキブリ捕獲用具を構成してなるので、ゴキブリが、一旦、当該対向して設けてなる第１の線状体部と第２の線状体部との間を通って再び当該第１の線状体部と第２の線状体部との間を通ろうとしても、ゴキブリは通ることを躊躇してしまい、出ることができない。
本考案によれば、上記のような簡易な構成にてゴキブリを捕獲できるので、毒性のゴキブリ駆除剤をスプレ−で噴霧してゴキブリを死亡させ捕獲する方法やゴキブリの毒餌を撒き喫食させ死亡させ捕獲する方法や電波やレザ−光を照射する方法のように、人体や生態系に悪影響を及ぼしたりすることがなく、又、一旦入ったら出れないので、ゴキブリを電気掃除機などの吸引機で吸い込み捕獲する方法や容器に油などの滑剤を塗布しゴキブリを落下させ捕獲する方法に比較して確実性があり、更に、針金のような線状体をゴキブリ捕獲用具本体に取付ければゴキブリ捕獲用具を構成できるので、電波・レザ−光照射装置のような大掛かりな装置が必要なく、装置的に安く済み、ゴキブリ捕獲用具それ自体には粘着剤や粘着テ−プや誘引剤等が必要ないので、これら材料費等が必要なく極めて安くできる。
【０００６】
又、請求項２に示すように、当該第１の線状体部と第２の線状体部を構成する各線状体が、金属又は合金より構成されていることが好ましく、ゴキブリが、一旦、当該対向して設けてなる第１の線状体部と第２の線状体部との間を通っても、ゴキブリは、再び、当該第１の線状体部と第２の線状体部との間を通ることができない。
【０００７】
更に、請求項３に示すように、当該複数の線状体を適宜間隔をおいて並設してなる第１の線状体部と複数の線状体を適宜間隔をおいて並設してなる第２の線状体部とを、ゴキブリが通路として通過できる間隙を有して、対向して設けてなるゴキブリ捕獲用具と、当該ゴキブリ捕獲用具の当該通路を経由して侵入してきたゴキブリを収納できる収納部とを備えてなるゴキブリ捕獲器とすることにより、例えば、当該収納部として容器を用いると、ゴキブリは、当該ゴキブリ捕獲用具の当該第１の線状体部と第２の線状体部との間の通路から入ってきても外部には出れないので、当該容器内部に留まることになり、当該容器内部に捕獲されることになる。
【０００８】
この場合、当該収納部としての容器と当該ゴキブリ捕獲用具とを別個に構成してもよいし、又、当該収納部としての容器と当該ゴキブリ捕獲用具とを一体に構成してもよく、請求項４に示すように、当該収納部としての容器と当該ゴキブリ捕獲用具とを別個に構成する場合、当該収納部の例えば容器にゴキブリ捕獲用具を取付けることができる開口部を設け、当該開口部に当該ゴキブリ捕獲用具を取付けるようにすると、容器とゴキブリ捕獲用具とが容易に分離でき、容器の内部にゴキブリが多数捕獲されたら容器とゴキブリ捕獲用具とを分離して容器内のゴキブリを捨てて、再び、容器にゴキブリ捕獲用具を取付ればよい。
【０００９】
次に、本考案の実施例を図面を参照しつつ説明する。
【実施例】
【００１０】
図１、図２、図３及び図４に示すように、本考案によるゴキブリ捕獲用具１は、複数の線状体１０００を適宜間隔をおいて並設してなる第１の線状体部１００と、複数の線状体１０１０を適宜間隔をおいて並設してなる第２の線状体部１０１とを対向して設けてなる。
当該ゴキブリ捕獲用具１においては、複数の線状体１０００を適宜間隔をおいて並設してなる第１の線状体部１００と、複数の線状体１０１０を適宜間隔をおいて並設してなる第２の線状体部１０１とを対向して設けてなり、当該対向して設けられた第１の線状体部１００と第２の線状体部１０１との間は、ゴキブリの通路（Ｈ１）となっている。
図示のように、当該ゴキブリ捕獲用具１は、当該第１の線状体部１００と第２の線状体部１０１が取付られたゴキブリ捕獲用具本体１０２を備えてなる。
当該ゴキブリ捕獲用具本体１０２は、斜天井部１０２０と両側壁部１０２１と底部１０２２とを有してなる。
当該ゴキブリ捕獲用具本体１０２には、当該斜天井部１０２０の端部と当該両側壁部１０２１の端部と当該底部１０２２の端部とで区画された開口（Ｈ２）が設けられている。
当該両側壁部１０２１の約半分上部には、図示のように、当該斜天井部１０２０が敷設されているが、当該両側壁部１０２１の約半分には、当該斜天井部１０２０が敷設されていず、開放部（Ｈ３）となっている。
当該ゴキブリ捕獲用具本体１０２において、前記通路（Ｈ１）と当該開口（Ｈ２）と開放部（Ｈ３）とは連通している。
【００１１】
図１にも示すように、当該複数の線状体１０００を適宜間隔をおいて並設してなる第１の線状体部１００と、複数の線状体１０１０を適宜間隔をおいて並設してなる第２の線状体部１０１とが、上下に対向して、ゴキブリ捕獲用具本体１０２の当該開口（Ｈ２）から突出している。
当該第１の線状体部１００は、図４にも示すように、当該斜天井部１０２０の一端部の下側に取付られ、一方、第２の線状体部１０１は、底部１０２２の一端部の下側に取付られている。
当該第１の線状体部１００は、当該斜天井部１０２０の一端部からゴキブリの出口側に向かって、下向きに斜め方向に当該斜天井部１０２０の一端部の下側に取付られている。
当該第２の線状体部１０１は、底部１０２２の一端部からゴキブリの出口側に向かって、殆んど水平でやや上向きに当該底部１０２２の一端部の下側に取付られている。
当該第１の線状体部１００の端部と第２の線状体部１０１の端部とは、ゴキブリが通路として通過できる間隙Ｘを有して対向して設けられている。
当該間隙（高さ）Ｘは、ゴキブリが通路として通過できる間隔であればよいが、例えば、チャバネゴキブリ、クロゴキブリなどの幼虫や成虫が侵入し易い高さとすればよい。当該間隙Ｘは、ゴキブリの種類や性別や成長の程度などで適宜変更可能である。
当該第１の線状体部１００及び当該第２の線状体部１０１は、金属又は合金より構成されていることが好ましい。
複数の線状体１０００及び１０１０の例としては、金属又は合金より構成された針金が挙げられる。他に、ワイヤ、コイル、帯状物などの線条物が挙げられる。
【００１２】
当該複数の線状体１０００及び１０１０は、図３にも示すように、適宜間隔Ｙをおいて並設されるが、その間隔Ｙは、前記の第１の線状体部１００と第２の線状体部１０１との間隙（高さ）Ｘと同様に、ゴキブリの種類や性別や成長の程度などで適宜変更可能である。
尚、図３は、当該第１の線状体部１００の平面図を示すが、当該第２の線状体部１０１も、その図示が省略されているが、同様の構成からなる。
【００１３】
当該複数の線状体１０００及び１０１０を適宜間隔をおいて並設した当該第１の線状体部１００及び当該第２の線状体部１０１を、ゴキブリが通路として通過できる間隙Ｘを有して対向して設けていると、ゴキブリが、一旦、ゴキブリ捕獲用具本体１０２の開放部（ゴキブリ侵入口、Ｈ３）及び開口（Ｈ２）からこれら第１の線状体部１００及び第２の線状体部１０１との間の通路（Ｈ１）を通ってゴキブリ捕獲用具本体１０２の内部に侵入できるが、引っ返してきて、再び、当該第１の線状体部１００及び第２の線状体部１０１との間の通路（Ｈ１）から元に戻り外部に出ようとしても、これら第１の線状体部１００及び第２の線状体部１０１の間で出ることを躊躇してしまい、出ることができなくなる。この理由は、おそらく、ゴキブリは、著しく発達した長い触角を持っているとともに警戒心が極めて強く、周囲の状況を敏感に察知しようとする為ではないかと思われる。
本考案によるゴキブリ捕獲用具１にあっては、例えば、第１の線状体部１００及び第２の線状体部１０１は、通常の寸法が縦１０ｍｍＸ横５０ｍｍと、ゴキブリ捕獲用具本体１０２を含めても全体に小型でサイズ的に小さなもので足りるので、携帯性に優れ、又、間隙等の狭い閉ざされた場所等にも設置できる。
【００１４】
本考案では、上記のようなゴキブリ捕獲用具１そのもの自体にてゴキブリを捕獲でき、例えば、ゴキブリの出入り活動する（ゴキブリが棲息する）場所例えば家屋の調理台の引き出しや開き戸、流し台の下、コンロの下、冷蔵庫の裏、床下収納庫、流しの排水口、その他器物の間隙等の狭い閉ざされた場所等に当該ゴキブリ捕獲用具を設置しておくだけでもよいが、当該ゴキブリ捕獲用具の第１の線状体部と第２の線状体部との間の通路（Ｈ１）を侵入してきたゴキブリを収納できる収納部を備えさせてゴキブリ捕獲器とすることが好ましい。
図５及び図６は当該ゴキブリ捕獲器の例を示し、当該ゴキブリを収納できる収納部として容器を用いた例を示す。
図５及び図６に示すように、当該ゴキブリ捕獲器３は、前記のゴキブリ捕獲用具１と収納部としての容器２とを備えてなる。
当該容器２は、例えば、図示のように、直立六面体に構成され、当該直立六面体よりなる当該容器２の一面には、図５に示すように、当該ゴキブリ捕獲用具１を取付けることができる開口部２００を設けてある。
当該容器２は、ゴキブリの捕獲の確認に有利な透明性を有していることが好ましい。
図６に示すように、当該ゴキブリ捕獲用具１のゴキブリ捕獲用具本体１０２の当該第１の線状体部１００及び第２の線状体部１０１側を当該容器２の内部に挿着し、当該容器２の外部には、図示のように、当該ゴキブリ捕獲用具のゴキブリ捕獲用具本体１０２側を露出させ、当該ゴキブリ捕獲用具１のゴキブリ捕獲用具本体１０２のゴキブリ侵入口（Ｈ３）及び開口（Ｈ２）から、これら第１の線状体部１００及び第２の線状体部１０１との間の通路（Ｈ１）を通って、当該容器２の内部に侵入させるようにする。
前記のように、ゴキブリは、当該ゴキブリ捕獲用具１の当該第１の線状体部と第２の線状体部との間の通路から入ってきても、当該ゴキブリ捕獲用具１の当該第１の線状体部と第２の線状体部との間から外部には戻れないので、当該容器２の内部に留まることになり、当該容器２の内部に捕獲されることになる。
当該容器２の内部に捕獲されたゴキブリは、このようにして逃げることが出来ないので、容器２の内部に粘着剤を塗布したり、或いは、粘着テ−プを貼着してゴキブリを粘着させ捕獲する必要はないが、誘引剤でゴキブリを誘引してより捕獲の効率を上げてもよい。
又、図６に示すように、小さな容器を備えさせ、当該容器にゴキブリの餌などを備蓄するようにしてもよい。
図５及び図６に示すように、ゴキブリ捕獲用具１と収納部としての容器２とを別個に構成して当該ゴキブリ捕獲器３を構成し、当該収納部としての容器２に開口部２００を設け、当該開口部２００に当該ゴキブリ捕獲用具１を取付けるようにすると、容器２とゴキブリ捕獲用具１とが容易に分離でき、容器２の内部にゴキブリが多数捕獲されたら容器２とゴキブリ捕獲用具１とを分離して容器２内のゴキブリを廃棄して、再び、容器２にゴキブリ捕獲用具１を取付ればよい。
【００１５】
本考案の上記の実施例では、当該収納部としての容器２と当該ゴキブリ捕獲用具１とを別個に構成した例を示したが、図７に示すように、当該収納部と当該ゴキブリ捕獲用具とを一体に構成してもよい。
図７に示す実施例では、図示のように、例えば立方体に形成された収納部２の一辺に、第１の線状体部１００と第２の線状体部１０１とからなるゴキブリ捕獲用具１を取付け、ゴキブリ捕獲器３を構成し、ゴキブリを捕獲するようにする。
当該第１の線状体部１００と第２の線状体部１０１とは、本実施例では、上下に平行に収納部２に取付けられている。
当該収納部２には、蓋体などを設けて、捕獲したゴキブリを捨てるようにしてもよい。
当該第１の線状体部１００と第２の線状体部１０１は、前記実施例と同様の機能を有するので、その詳細な説明を省略する。
【００１６】
本考案は上記実施例に限定されず、適宜変更が可能である。例えば、第１の線状体部１００と第２の線状体部１０１を金網や金属（合金）板に穴を複数開けた形態のもの等でもよい。
【産業上の利用可能性】
【００１７】
本考案のゴキブリ捕獲用具１及びゴキブリ捕獲器３は、害虫などの各種の場合に適用できる。
【図面の簡単な説明】
【００１８】
【図１】本考案の実施例を示すゴキブリ捕獲用具の構成図である。
【図２】本考案の実施例を示すゴキブリ捕獲用具の中央縦断面図である。
【図３】本考案に使用されるゴキブリ捕獲用具の平面図である。
【図４】本考案の実施例を示すゴキブリ捕獲用具の断面図である。
【図５】本考案の実施例を示すゴキブリ捕獲器の分解図である。
【図６】本考案の実施例を示すゴキブリ捕獲器の構成図である。
【図７】本考案の他の実施例を示すゴキブリ捕獲器の構成図である。
【符号の説明】
【００１９】
１…ゴキブリ捕獲用具
２…収納部
３…ゴキブリ捕獲器
１００…第１の線状体部
１０１…第２の線状体部
Ｘ…間隔
【図１】
0003155614.tif 000003
【図２】
0003155614.tif 000004
【図３】
0003155614.tif 000005
【図４】
0003155614.tif 000006
【図５】
0003155614.tif 000007
【図６】
0003155614.tif 000008
【図７】
0003155614.tif 000009